(57)【要約】【課題】  上型の下降動及び上昇動に連係して穴抜き用のポンチを備えたカムスライダの後退戻しをスプリング機構を用いることなく簡単な機構により可能としたプレス型を提供する。【解決手段】  固定の下型１に対して下降動及び上昇動する可動の上型２とからなり、前記下型１に進退移動可能に設置されているカムスライダ５に穴抜き用のポンチ６を備えたプレス型において、前記上型２にフォロアローラ８を下端に備えた支持ブラケット７を設け、前記カムスライダ５に前記フォロアローラ８を案内してカムスライダ５を、上型２の下降動では前進移動し、上型２の上昇動では後退移動する受動カム９を設けた。【選択図】        図１
2005246410.tif 000002
【特許請求の範囲】
【請求項１】
固定の下型と、この下型に対して下降動及び上昇動する可動の上型とからなり、前記下型に進退移動可能に設置されているカムスライダに穴抜き用のポンチを備えたプレス型において、前記上型にフォロアローラを下端に備えた支持ブラケットを設け、前記カムスライダに前記フォロアローラを案内してカムスライダを、上型の下降動では前進移動し、上型の上昇動では後退移動する受動カムを設けたことを特徴とするプレス型。
【請求項２】
カムスライダを前進移動端と後退移動端を規制するために、カムスライダ側にボールプランジャと下型側に前記ボールプランジャのボールが係合する係合凹穴とを備えたことを特徴とする請求項１に記載のプレス型。
【発明の詳細な説明】
【技術分野】
【０００１】
本発明は、上型の下降動及び上昇動に連係して穴抜き用のポンチを備えたカムスライダを前進後退移動可能としたプレス型に関するものである。
【背景技術】
【０００２】
従来、ワークＷの側面に穴抜き加工する一般的なプレス型は図８で示す構造である。すなわち、下型１には後述するポンチ６が挿入する穴４（ダイ）を有している切刃３と、この切刃３に向かって進退移動するカムスライダ５とを備えている。また、上型２には前記カムスライダ５を前進移動するための能動カム１３を有し、前記カムスライダ５と一定の傾斜角でで対接している。
【０００３】
上記カムスライダ５は上型２の下降動で前記能動カム１３で前進移動するが、前進端から後退端に後退戻しさせるためにはスプリング１８によっておこなっている。その構造は下型１に設けたバネガイド支持部材１５とバネガイドピンブロック１６との間にバネガイドピン１７を前記カムスライダ５の進退軸線と平行な軸線方向に設け、このバネガイドピン１７にスプリング１８を挿入し、カムスライダ５の下面に設けたバネガイドストッパ１４に前記スプリング１８の後端を当接した構成である。この構造によるカムスライダ５の後退戻し作用は、上型２の下降動で前記能動カム１３により前進移動するカムスライダ５によりスプリング１８を圧縮し、上型２の下死点から上昇することで前記圧縮から開放されスプリング１８の伸長力によってカムスライダ５をウレタンカムストッパ１２に当接する後退端に移動させていた。
【０００４】
上記従来のカムスライダ５の後退戻り機構では、バネガイドストッパ１４、バネガイド支持部材１５、バネガイドピンブロック１６、バネガイドピン１７、スプリング１８等の多くの部品を必要とすると共に、これらを配置するスペースにより下型１の高さＨ２が高くなり下型サイズが大型化して型費が高価となっている問題があった。
【特許文献１】特開平１０−３１４８６３公報
【特許文献１】特開平１１−０１０２５３公報
【発明の開示】
【発明が解決しようとする課題】
【０００５】
本発明の目的は、上型の下降動及び上昇動に連係して穴抜き用のポンチを備えたカムスライダの後退戻しをスプリング機構を用いることなく簡単な機構により可能としたプレス型を提供することである。
【課題を解決するための手段】
【０００６】
上記の目的を達成するための本発明は、請求項１に記載の通り、固定の下型と、この下型に対して下降動及び上昇動する可動の上型とからなり、前記下型に進退移動可能に設置されているカムスライダの前端に穴抜き用のポンチを備えたプレス型において、前記上型にフォロアローラを下端に備えた支持ブラケットを設け、前記カムスライダに前記フォロアローラを案内してカムスライダを、上型の下降動では前進移動し、上型の上昇動では後退移動する受動カムを設けたことを特徴とするものである。
【０００７】
また、請求項２に記載の通り、請求項１に記載のプレス型において、カムスライダを前進移動端と後退移動端を規制するために、カムスライダ側にボールプランジャと下型側に前記ボールプランジャのボールが係合する係合凹穴とを備えたことを特徴とするものである。
【発明の効果】
【０００８】
本発明によると、穴抜き用のポンチを備えたカムスライダの後退戻しをスプリング機構を用いることなく簡単な機構により可能とし、部品点数の削減と下型サイズの縮小化により型費の低減と小スペース化が図れる効果を有している。
【発明を実施するための最良の形態】
【０００９】
以下本発明を実施するための最良の形態について図面に基づいて説明する。図１において、１は固定の下型であり、２は前記下型１に対して下降動及び上昇動する上型である。前記下型１にはワークＷの端縁を直角下向きに折り曲げた側面に後述する穴抜き用のポンチ６によっ穴開けするための穴４（ダイ）を備えた切刃３と、前記切刃３に向かって進退移動可能なカムスライダ５とを有しており、このカムスライダ５の前端に前記穴抜き用のポンチ６を有している。
【００１０】
本発明は、前記カムスライダ５は下型１に形成したスライド面１ａに摺動可能に載置し上型２の下降動では前進移動し、上型２の上昇動では後退移動するようにしている。その具体的な構造は、上型２にフォロアローラ８を下端に備えた支持ブラケット７を設け、カムスライダ５に前記フォロアローラ８を案内してカムスライダ５を、上型２の下降動では前進移動し、上型２の上昇動では後退移動する受動カム９を設けた構成である。１２はカムスライダ５が後退端で当接するウレタンカムストッパである。
【００１１】
前記カムスライダ５は図２で示すように、下型１のスライド面１ａに設けられたカムアッパプレート１ｂとカムサイドブロック１ｃとによる案内溝に沿って切刃３に向かって進退移動可能に設けられており、このカムスライダ５に設けられている受動カム９は図２及び図３で示すように、カムスライダ５の後方に前記フォロアローラ８がはまり込んで転動して案内されるガイドホールが後方に向かって下向き傾斜して形成されている。
【００１２】
また、カムスライダ５の下型１のスライド面１ａとの対接部位にはにボールプランジャ１１設けられており、下型１のスライド面１ａには、カムスライダ５の前進端部位で前記ボールプランジャ１１のボールが係合する前進端規制用の係合凹穴１０ａと、カムスライダ５の後退端部位で前記ボールプランジャ１１のボールが係合する後退端規制用の係合凹穴１０ｂとを備えている。
【００１３】
上記の構造よりなる本発明の動作について図４乃至図７により説明する。図４は上型２の上死点状態である。この上型２の上死点では、前回の上型２の下降動及び上昇動によりカムスライダ５は後退端に位置してウレタンカムストッパ１２に当接している。また、ボールプランジャ１１のボールは下型１のスライド面１ａ側の後退端規制用の係合凹穴１０ｂに係合してカムスライダ５の後退端を規制している。この時、上型２側のフォロアローラ８は受動カム９から外れて受動カム９の上端のガイドホールの開口部の上方に位置している。
【００１４】
図５で示すように、加工開始により上型２が下降するとフォロアローラ８が受動カム９の上端のガイドホールの開口部より受動カム９にはまり込み、上型２の下降動で受動カム９に案内され傾斜に沿って転動し、前記傾斜角度に基づきカムスライダ５を図６で示すように上型２の下死点の下降動で前進端まで前進移動する。このカムスライダ５の前進端位置ではボールプランジャ１１のボールが下型１のスライド面１ａ側の前進端規制用の係合凹穴１０ａに係合してカムスライダ５の前進端を規制する。
【００１５】
前記上型２の下死点でポンチ６と穴４によりワークＷの側面に穴抜き加工して上型２は上昇動し、図７で示すように、フォロアローラ８は受動カム９の傾斜面を上昇転動してカムスライダ５を後退移動し図４で示す上型２の上死点の状態に戻すのである。
【００１６】
このように、本発明によれば、上型２側に設けたフォロアローラ８と、下型１のスライド面１ｂに前進後退移動可能なカムスライダ５に設けた受動カム９とによってカムスライダ５を上型２の下降動では前進移動し、上型２の上昇動では後退移動するようにしたものであるから、従来のスプリングの多数部品で構成されたカムスライダ５の戻し機構の問題点を一挙に解消し、下型１の高さＨ１を低くすることができ下型サイズは小型化する利点を有している。
【００１７】
また、ボールプランジャ１１と、前進端規制用の係合凹穴１０ａ及び後退端規制用の係合凹穴１０ｂとによりカムスライダ５の適正な前進、後退端ストロークで規制し、慣性によるオーバストロークが防止される利点も有している。さらに、構造も簡単であるから、低コストで提供することもできる。
【図面の簡単な説明】
【００１８】
【図１】本発明のプレス型の断面図
【図２】図１のＡ−Ａ線断面図
【図３】本発明のプレス型のカムスライダの斜視図
【図４】本発明のプレス型の上型の上死点状態の断面図
【図５】本発明のプレス型の上型の下降途中状態の断面図
【図６】本発明のプレス型の上型の下死点状態の断面図
【図７】本発明のプレス型の上型の上昇途中状態の断面図
【図８】従来のプレス型の断面図
【符号の説明】
【００１９】
１    下型
１ａ  スライド面
１ｂ  カムアッパプレート
１ｃ  カムサイドブロック
２    上型
３    切刃
４    穴
５    カムドライバ
６    ポンチ
７    支持ブラケット
８    フォロアローラ
９    受動カム
１０ａ  前進端規制用の係合凹穴 
１０ｂ  後退端規制用の係合凹穴
１１    ボールプランジャ
１２    ウレタンカムストッパ
【図１】
2005246410.tif 000003
【図２】
2005246410.tif 000004
【図３】
2005246410.tif 000005
【図４】
2005246410.tif 000006
【図５】
2005246410.tif 000007
【図６】
2005246410.tif 000008
【図７】
2005246410.tif 000009
【図８】
2005246410.tif 000010